(57)【要約】【課題】簡単な方法で特定の電子機器間のペアリングを行う。【解決手段】携帯電話機と電子時計とをペアリング待機状態にし（ステップＡ２，Ｂ２）、携帯電話機の受光センサと電子時計のソーラーパネルとに対して同一の受光環境下において光の強度を変化させる（ステップＡ４，Ｂ４）。次に、光の強度を変化させた際に電子時計のソーラーパネルにより検出された受光量の時系列データを電子時計から携帯電話機に送信する（ステップＢ５）。そして、光の強度を変化させた際に携帯電話機の受光センサにより検出された受光量の時系列データの増減パターンと、電子時計から送信された受光量の時系列データの増減パターンと、を解析し（ステップＡ５）、双方の増減パターンが一致すると判断された場合に（ステップＡ６；ＹＥＳ）、携帯電話機と電子時計との間でペアリングを行う（ステップＡ７，Ｂ６）。【選択図】図４
2014187487.tif 000002
【特許請求の範囲】
【請求項１】
データ通信を行う通信手段、及び、受光量を検出する受光手段をそれぞれ備える第１の電子機器と第２の電子機器との間のペアリングを行うペアリング方法であって、
前記第１の電子機器と前記第２の電子機器とをペアリング待機状態にする第１ステップと、
前記第１の電子機器の受光手段と前記第２の電子機器の受光手段とに対して同一の受光環境下において光の強度を変化させる第２ステップと、
前記第２ステップ時に前記第２の電子機器の受光手段により検出された受光量の時系列データを前記第２の電子機器から前記第１の電子機器に送信する第３ステップと、
前記第２ステップ時に前記第１の電子機器の受光手段により検出された受光量の時系列データと、前記第２の電子機器から送信された受光量の時系列データと、に基づいて前記第１の電子機器と前記第２の電子機器との間でペアリングを行う第４ステップと、
を含むことを特徴とするペアリング方法。
【請求項２】
前記第４ステップでは、
前記第１の電子機器の前記時系列データの増減パターンと前記第２の電子機器の前記時系列データの増減パターンとが一致するか否かを判断し、双方の増減パターンが一致すると判断された場合に、前記第１の電子機器と前記第２の電子機器との間でペアリングを行うことを特徴とする請求項１に記載のペアリング方法。
【請求項３】
前記第４ステップでは、
前記第１の電子機器の前記時系列データ又は前記第２の電子機器の前記時系列データに含まれる受光量の変化幅が所定値未満である場合に、前記第１の電子機器の前記時系列データの増減パターンと前記第２の電子機器の前記時系列データの増減パターンとが一致しないと判断することを特徴とする請求項２に記載のペアリング方法。
【請求項４】
前記第４ステップでは、
前記第１の電子機器の前記時系列データ又は前記第２の電子機器の前記時系列データにおいて、所定時間内における所定量以上の増加又は減少が所定回数未満である場合に、前記第１の電子機器の前記時系列データの増減パターンと前記第２の電子機器の前記時系列データの増減パターンとが一致しないと判断することを特徴とする請求項２又は３に記載のペアリング方法。
【請求項５】
前記第１ステップでは、
前記第１の電子機器の受光手段と前記第２の電子機器の受光手段とに対して所定の受光環境条件が与えられた場合に、前記第１の電子機器と前記第２の電子機器とをペアリング待機状態にすることを特徴とする請求項１から４のいずれか一項に記載のペアリング方法。
【請求項６】
データ通信を行う通信手段と、
受光量を検出する受光手段と、
他の電子機器において検出された受光量の時系列データを前記他の電子機器から取得する取得手段と、
前記受光手段により検出された受光量の時系列データと、前記取得手段により取得された受光量の時系列データと、に基づいて前記他の電子機器との間でペアリングを行うペアリング手段と、
を備えることを特徴とする電子機器。
【発明の詳細な説明】
【技術分野】
【０００１】
本発明は、通信機能を備えた電子機器間のペアリング方法及び電子機器に関する。
【背景技術】
【０００２】
近年、Bluetooth（登録商標）等の無線通信機能を備える電子機器間において、無線方式によってデータのやり取りをしたり、情報の同期を取ったりする等、各種データの送受信を行う手法が浸透しつつある。
こうした無線通信によって送受信されるデータには個人情報も多く含まれる可能性がある。このため、個人のプライバシー等を保護するためにも、データの通信は特定の電子機器から特定の電子機器に対して正確に行われる必要がある。
【０００３】
通信を行いたい電子機器同士の間で適切にペアリング（すなわち、初期の認識作業）を行うことを目的として、例えば、他装置から放射された超音波信号に基づいて他装置との距離を推定し、他装置との距離が所定の範囲内である場合に、ペアリング情報が記述された接続要求を送信して近距離無線接続を確立する無線通信装置が提案されている（特許文献１参照）。
【先行技術文献】
【特許文献】
【０００４】
【特許文献１】特開２０１１−１９９３８１号公報
【発明の概要】
【発明が解決しようとする課題】
【０００５】
しかし、ペアリング時において、ある電子機器から発信される電波の到達エリア内に複数の電子機器が存在する場合には、連携を希望しない電子機器との間でペアリングが行われてしまうおそれがあった。
また、通信を行いたい電子機器同士に同一のパスワードを設定することで、通信相手を確定する方法もあるが、ペアリングに手間がかかる等の問題が生じていた。
【０００６】
また、無線通信機能を備える電子機器は、今後も増加することが予想されるが、従来のペアリング方法では、操作が煩雑であり、不慣れなユーザにとっては操作が困難となるおそれがあった。
【０００７】
本発明は、上記の従来技術における問題に鑑みてなされたものであって、簡単な方法で特定の電子機器間のペアリングを行うことを課題とする。
【課題を解決するための手段】
【０００８】
上記課題を解決するために、本発明は、
データ通信を行う通信手段、及び、受光量を検出する受光手段をそれぞれ備える第１の電子機器と第２の電子機器との間のペアリングを行うペアリング方法であって、
前記第１の電子機器と前記第２の電子機器とをペアリング待機状態にする第１ステップと、
前記第１の電子機器の受光手段と前記第２の電子機器の受光手段とに対して同一の受光環境下において光の強度を変化させる第２ステップと、
前記第２ステップ時に前記第２の電子機器の受光手段により検出された受光量の時系列データを前記第２の電子機器から前記第１の電子機器に送信する第３ステップと、
前記第２ステップ時に前記第１の電子機器の受光手段により検出された受光量の時系列データと、前記第２の電子機器から送信された受光量の時系列データと、に基づいて前記第１の電子機器と前記第２の電子機器との間でペアリングを行う第４ステップと、
を含むことを特徴とする。
【発明の効果】
【０００９】
本発明によれば、簡単な方法で特定の電子機器間のペアリングを行うことができる。
【図面の簡単な説明】
【００１０】
【図１】無線通信システムの全体構成図である。
【図２】携帯電話機の内部構成を示すブロック図である。
【図３】電子時計の内部構成を示すブロック図である。
【図４】無線通信システムにおいて実行されるペアリング処理を示すラダーチャートである。
【図５】携帯電話機において実行される電流データの増減パターン解析処理を示すフローチャートである。
【図６】携帯電話機により得られた電流データと電子時計により得られた電流データの例である。
【図７】携帯電話機により得られた電流データと電子時計により得られた電流データにおいて、同一のパターン変化とみなさない場合の例である。
【図８】携帯電話機において実行されるペアリング処理を示すフローチャートである。
【発明を実施するための形態】
【００１１】
以下、図面を参照して本発明に係る電子機器間のペアリング方法の実施の形態について説明する。なお、本発明は、図示例に限定されるものではない。
【００１２】
図１は、無線通信システム１００の全体構成図である。
無線通信システム１００は、第１の電子機器としての携帯電話機１０と、第２の電子機器としての電子時計３０とにより構成される。電子時計３０は、時計本体と、バンドとを備え、腕に装着可能な腕時計型のものである。携帯電話機１０及び電子時計３０は、いずれも近距離無線通信機能を備えており、Bluetooth通信による相互通信が可能となっている。
【００１３】
図２は、携帯電話機１０の内部構成を示すブロック図である。
図２に示すように、携帯電話機１０は、取得手段、ペアリング手段としてのＣＰＵ（Central Processing Unit）１１と、ＲＯＭ（Read Only Memory）１２と、ＲＡＭ（Random Access Memory）１３と、記憶部１４と、操作部１５と、内蔵時計１６と、表示部１７と、受光手段としての受光センサ１８と、スピーカ１９と、マイク２０と、コーデック２１と、ＲＦ通信部２２と、通信手段としてのBluetooth通信部２３と、を備える。
【００１４】
ＣＰＵ１１は、携帯電話機１０の全体動作の統轄制御及び各種演算処理を行う。具体的には、ＣＰＵ１１は、ＲＯＭ１２に記憶されている各種処理プログラムを読み出してＲＡＭ１３に展開し、当該プログラムとの協働により各種処理を行う。
【００１５】
ＲＯＭ１２は、ＣＰＵ１１が実行する各種プログラム及び各種データを記憶する読み出し専用の半導体メモリである。
ＲＡＭ１３は、ＣＰＵ１１に作業用のメモリ空間を提供し、作業用の一時データを記憶する。
【００１６】
記憶部１４は、不揮発性メモリ等により構成され、情報を読み出し及び書き込み可能に記憶する。記憶部１４には、例えば、携帯電話機１０で実行される種々のアプリケーションプログラムや、各種機能に係る保存データや設定データが記憶される。
【００１７】
操作部１５は、ユーザによる入力操作を受け付ける各種ボタン等を備え、ユーザの操作に基づく操作信号をＣＰＵ１１に出力する。また、操作部１５は、表示部１７の表示画面に設けられたタッチパネルを含み、ユーザの指等によるタッチ操作の位置を検出し、その位置に応じた操作信号をＣＰＵ１１に出力する。
【００１８】
内蔵時計１６は、現在時刻を計数して保持するカウンタである。この内蔵時計１６の現在時刻データは、ＲＦ通信部２２による携帯基地局との通信時に随時修正される。
【００１９】
表示部１７は、ＬＣＤ（Liquid Crystal Display）等で構成され、ＣＰＵ１１からの表示制御信号に従って画面表示を行う。表示部１７には、携帯電話機１０で実行される種々の処理結果、ペアリングが成功したか否かを示す情報等が表示される。
【００２０】
受光センサ１８は、光電変換を行う素子であって、受光量（受光する光の強度）に応じた電流を出力する。受光センサ１８は、受光量を検出する受光手段として機能する。受光センサ１８は、携帯電話機１０の表示部１７が設けられている面等、携帯電話機１０を使用する際にユーザと向かい合う面に設けられている。
【００２１】
スピーカ１９は、コーデック２１からの信号に基づいて電気信号を音声信号に変換して音声を出力する。マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から出力された音声信号をエンコードしてＣＰＵ１１やＲＦ通信部２２へ出力する。
【００２２】
ＲＦ通信部２２は、ＲＦ送受信用のアンテナＡＮ１を用いて携帯基地局との間で行われる電話音声データや電子メール等のパケットデータの送受信に係る処理を行い、ＣＰＵ１１やコーデック２１との間でデータの受け渡しを行う。
【００２３】
Bluetooth通信部２３は、Bluetooth通信の送受信用のアンテナＡＮ２を介して、電子時計３０等の他の電子機器との間で、Bluetooth通信方式によりデータ通信を行う。Bluetooth通信部２３により行われるBluetooth通信としては、低消費電力規格（Bluetooth Low Energy）を用いることができる。
【００２４】
図３は、電子時計３０の内部構成を示すブロック図である。
図３に示すように、電子時計３０は、ＣＰＵ３１と、ＲＯＭ３２と、ＲＡＭ３３と、記憶部３４と、操作部３５と、計時回路３６と、表示部３７と、受光手段としてのソーラーパネル３８と、二次電池３９と、通信手段としてのBluetooth通信部４０と、を備える。
【００２５】
ＣＰＵ３１は、電子時計３０の全体動作の統轄制御及び各種演算処理を行う。具体的には、ＣＰＵ３１は、ＲＯＭ３２に記憶されている各種処理プログラムを読み出してＲＡＭ３３に展開し、当該プログラムとの協働により各種処理を行う。ＣＰＵ３１は、計時回路３６の計数する現在時刻に基づいて表示部３７に時刻表示を行わせる。
【００２６】
ＲＯＭ３２は、ＣＰＵ３１が実行する各種プログラム及び各種データを記憶する読み出し専用の半導体メモリである。
ＲＡＭ３３は、ＣＰＵ３１に作業用のメモリ空間を提供し、作業用の一時データを記憶する。
【００２７】
記憶部３４は、不揮発性メモリ等により構成され、情報を読み出し及び書き込み可能に記憶する。
【００２８】
操作部３５は、一又は複数のボタンスイッチを備え、ユーザが当該スイッチに対して行った操作に基づく操作信号をＣＰＵ３１に出力する。
【００２９】
計時回路３６は、現在時刻を計数して保持するカウンタである。このカウンタは、単に現在時刻情報を記憶するＲＡＭであってもよい。
【００３０】
表示部３７は、ドットマトリックス表示方式のＬＣＤ等で構成される。表示部３７には、現在時刻、設定状態、ペアリングが成功したか否かを示す情報等が表示される。なお、電子時計３０は、アナログ式のものであってもよく、表示部３７は、目盛が設けられた文字盤とこの文字盤の上部で回転する複数の指針とを備えるものであってもよい。
【００３１】
ソーラーパネル３８は、外光により発電を行うものであり、受光量（受光する光の強度）に応じた発電電流を出力する。ソーラーパネル３８は、受光量を検出する受光手段として機能する。ソーラーパネル３８は、電子時計３０の表示部３７の表示面等に設けられている。
二次電池３９は、ソーラーパネル３８により発電された発電電流を入力して蓄電し、各部に電力を供給する。
【００３２】
Bluetooth通信部４０は、Bluetooth通信の送受信用のアンテナＡＮ３を介して、携帯電話機１０等の他の電子機器との間で、Bluetooth通信方式によりデータ通信を行う。
【００３３】
次に、無線通信システム１００における動作について説明する。
図４は、無線通信システム１００の携帯電話機１０及び電子時計３０において実行されるペアリング処理を示すラダーチャートである。
【００３４】
〔第１ステップ〕
まず、同一光源下に、ペアリングすべき携帯電話機１０と電子時計３０とを隣接させて置く。ここで、携帯電話機１０の受光センサ１８と電子時計３０のソーラーパネル３８とが上向きになるようにする。携帯電話機１０と電子時計３０との距離は、両機器の上でユーザが手のひらを動かす際に、同様の受光環境となる距離とする。光源は、室内灯であってもよいし、太陽光であってもよい。
【００３５】
次に、ユーザは、携帯電話機１０の受光センサ１８と電子時計３０のソーラーパネル３８とに対して所定の受光環境条件を与える。本実施の形態では、ペアリングモード開始の契機となる所定の受光環境条件として、２秒間の遮蔽状態（暗状態）を用いる。例えば、ユーザは、左手の手のひらで携帯電話機１０の受光センサ１８を２秒以上遮蔽するのと同時に、右手の手のひらで電子時計３０のソーラーパネル３８を２秒以上遮蔽する。この際、受光センサ１８、ソーラーパネル３８を手で覆い、受光センサ１８、ソーラーパネル３８にできるだけ光が入らないようにすることが望ましい。
【００３６】
携帯電話機１０において、ＣＰＵ１１は、受光センサ１８により検出された受光量に対応する電流値の時系列データ（電流データ）を取得し、受光センサ１８が遮蔽された状態（暗状態）が２秒間継続したか否かを判断する（ステップＡ１）。具体的には、ＣＰＵ１１は、電流データに含まれる電流値が予め定められた閾値以下の状態が２秒間継続したか否かを判断する。受光センサ１８が遮蔽された状態が２秒間継続した場合には（ステップＡ１；ＹＥＳ）、ＣＰＵ１１は、携帯電話機１０をペアリング待機状態にする（ステップＡ２）。ペアリング待機状態とは、Bluetooth通信における通信相手が設定されるのを待機している状態である。
【００３７】
同様に、電子時計３０において、ＣＰＵ３１は、ソーラーパネル３８により検出された受光量に対応する電流値の時系列データ（電流データ）を取得し、ソーラーパネル３８が遮蔽された状態（暗状態）が２秒間継続したか否かを判断する（ステップＢ１）。ソーラーパネル３８が遮蔽された状態が２秒間継続した場合には（ステップＢ１；ＹＥＳ）、ＣＰＵ３１は、電子時計３０をペアリング待機状態にする（ステップＢ２）。
【００３８】
携帯電話機１０がペアリング待機状態になると、ＣＰＵ１１は、Bluetooth通信部２３を介して、ペアリング可能な機器を検出するための呼出し信号を送信する（ステップＡ３）。
電子時計３０では、Bluetooth通信部４０により、携帯電話機１０から呼出し信号が受信されると、ＣＰＵ３１は、Bluetooth通信部４０を介して、携帯電話機１０に対し、応答信号を送信する（ステップＢ３）。
【００３９】
〔第２ステップ〕
次に、ユーザは、携帯電話機１０の受光センサ１８と電子時計３０のソーラーパネル３８とに対して同一の受光環境下において光の強度を連続的に変化させる。例えば、携帯電話機１０の受光センサ１８と電子時計３０のソーラーパネル３８の上を手のひらが複数回往復して通過するように、手のひらを動かす。つまり、受光センサ１８及びソーラーパネル３８の受光部分を複数回横切るように手のひらを動かし、受光センサ１８及びソーラーパネル３８が受光する光を断続的に遮る。ユーザは、受光センサ１８、ソーラーパネル３８の受光量に変化を与えるのに十分な程度に、受光センサ１８、ソーラーパネル３８に手を近付けた状態で手のひらを動かす。また、ユーザは、受光センサ１８、ソーラーパネル３８に対する手のひらの動きが略同様となるような速さで、手のひらを動かす必要がある。
【００４０】
この際、受光センサ１８、ソーラーパネル３８に対して、手のひらが光源からの光を遮る位置にあるときに、受光センサ１８、ソーラーパネル３８の受光量が減少する。すなわち、受光センサ１８、ソーラーパネル３８の上を手のひらが１回通過する際には、受光センサ１８、ソーラーパネル３８の受光量が一旦減少し、その後増加する。手のひらが１往復すれば、受光センサ１８、ソーラーパネル３８の受光量の減少、増加がそれぞれ２回ずつ発生することになる。
【００４１】
携帯電話機１０において、ＣＰＵ１１は、電子時計３０から応答信号を受信してから所定期間、受光センサ１８により検出された受光量に対応する電流値の時系列データ（電流データ）を記憶部１４に記憶させる（ステップＡ４）。携帯電話機１０における電流データは、受光センサ１８から出力された電流値と、内蔵時計１６から出力された現在時刻と、が対応付けられ、時刻に沿って記録されたデータである。
【００４２】
電子時計３０において、ＣＰＵ３１は、携帯電話機１０に応答信号を送信してから所定期間、ソーラーパネル３８により検出された受光量に対応する電流値の時系列データ（電流データ）を記憶部３４に記憶させる（ステップＢ４）。電子時計３０における電流データは、ソーラーパネル３８から出力された電流値と、計時回路３６から出力された現在時刻と、が対応付けられ、時刻に沿って記録されたデータである。
【００４３】
携帯電話機１０及び電子時計３０において、電流データが記憶される所定期間には、ユーザの動作により、受光センサ１８及びソーラーパネル３８が受光する光の強度が変化している時間範囲が含まれる。
【００４４】
〔第３ステップ〕
次に、電子時計３０において、ＣＰＵ３１は、Bluetooth通信部４０を介して、ステップＢ４で記憶された電流データを携帯電話機１０に送信する（ステップＢ５）。
携帯電話機１０において、Bluetooth通信部２３は、電子時計３０から送信された電流データを受信し、ＣＰＵ１１は、電子時計３０の電流データを取得する。
【００４５】
〔第４ステップ〕
次に、携帯電話機１０において、ＣＰＵ１１は、ステップＡ４で記憶された携帯電話機１０の電流データの増減パターンと、電子時計３０から送信された電流データの増減パターンと、を解析する（ステップＡ５）。
【００４６】
ここで、図５を参照して、携帯電話機１０において実行される電流データの増減パターン解析処理について説明する。
まず、ＣＰＵ１１は、比較対象となる受光センサ１８により検出された受光量に対応する電流値の時系列データ（電流データ）と、ソーラーパネル３８により検出された受光量に対応する電流値の時系列データ（電流データ）と、を比較し、増減タイミングが一致するか否かを判断する（ステップＣ１）。「増減タイミングが一致する」とは、双方の電流データにおいて、電流値が増加している区間（時間範囲）と、電流値が減少している区間と、が一致していることをいう。また、「増減タイミングが一致する」場合には、双方の電流データにおいて、電流値が略一定（一定も含む。）である場合も含まれる。
【００４７】
なお、実際には、ユーザが手のひらを動かす際に、手のひらに対する受光センサ１８とソーラーパネル３８の相対的な位置が異なるため、電流値の変化にも時間的なずれが生じるおそれがある。したがって、双方の電流データの増減タイミングが一致するか否かの判断においては、両機器の上を手のひらが通過する時間差による増減タイミングのずれを考慮して、所定の余裕度を持って一致を判断してもよい。
【００４８】
図６に、携帯電話機１０の受光センサ１８により得られた電流データ（実線）と、電子時計３０のソーラーパネル３８により得られた電流データ（一点鎖線）の例を示す。図６において、横軸は時刻であり、縦軸は電流値である。両電流データにおいて、時刻ｔ１から時刻ｔ２までは増加し、時刻ｔ２から時刻ｔ３までは減少し、時刻ｔ３から時刻ｔ４までは増加し、時刻ｔ４から時刻ｔ５までは減少し、時刻ｔ５から時刻ｔ６までは増加し、時刻ｔ６から時刻ｔ７までは減少している。すなわち、区間ΔＴ１１において、両電流データの増減タイミング（電流波形パターン）が一致している。受光センサ１８とソーラーパネル３８とでは、受光量に応じた電流値が異なるため、電流値の大きさは異なるが、時間的な増減の変化形状（極大値・極小値をとるタイミング）は一致している。
【００４９】
ステップＣ１において、受光センサ１８により得られた電流データとソーラーパネル３８により得られた電流データとの増減タイミングが一致する場合には（ステップＣ１；ＹＥＳ）、ＣＰＵ１１は、各電流データに含まれる電流値（受光量に相当）の変化幅が所定値以上であるか否かを判断する（ステップＣ２）。電流データに含まれる電流値の変化幅とは、電流データに含まれる電流値の最大値と最小値との差をいう。ステップＣ２は、電流データ同士の増減タイミングが一致していたとしても、電流値（受光量）が略一定である場合を除くための判断である。電流値の変化幅の比較基準となる「所定値」は、電流値（受光量）が略一定であるか否かを判断するのに適した値に予め設定されている。
【００５０】
図７に、携帯電話機１０の受光センサ１８により得られた電流データ（実線）と、電子時計３０のソーラーパネル３８により得られた電流データ（一点鎖線）と、において、電流値の増減タイミングが一致していても、同一のパターン変化とみなさない場合の例を示す。図７において、横軸は時刻であり、縦軸は電流値である。両電流データにおいて、時刻ｔ１６から時刻ｔ１７まで電流値は一定であり、区間ΔＴ１３において、両電流データの増減タイミング（電流波形パターン）は一致している。
しかし、区間ΔＴ１３では、電流値は一定であり、変化していない。すなわち、区間ΔＴ１３では、受光センサ１８及びソーラーパネル３８に対して、常に光源からの光が遮られない状態が続いていたと考えられる。そのため、電流値が略一定の場合には、両電流データの増減パターンが一致しないものとみなす。
【００５１】
ステップＣ２において、受光センサ１８により得られた電流データに含まれる電流値の変化幅、及び、ソーラーパネル３８により得られた電流データに含まれる電流値の変化幅がそれぞれ所定値以上である場合には（ステップＣ２；ＹＥＳ）、ＣＰＵ１１は、受光センサ１８により得られた電流データ、及び、ソーラーパネル３８により得られた電流データのそれぞれにおいて、所定時間（例えば、２秒間）内に所定量以上の増加及び減少がそれぞれ所定回数（例えば、３回）以上あるか否かを判断する（ステップＣ３）。所定量以上の増加とは、電流データの一繋がりの単調増加のうち、増加量（変化量）が所定量以上であるものをいう。所定量以上の減少とは、電流データの一繋がりの単調減少のうち、減少量（変化量の絶対値）が所定量以上であるものをいう。ステップＣ３は、電流データ同士の増減タイミングが一致していたとしても、ユーザの意図的な動作に基づく有意な電流値の増加又は減少が所定回数未満である場合を除くための判断である。なお、ステップＣ３の判断に用いる「所定時間」、「所定量」、「所定回数」は、ユーザの意図的な動作を検出するのに適した値に予め設定されている。
【００５２】
例えば、図６に示す携帯電話機１０の受光センサ１８により得られた電流データにおいて、時刻ｔ１から時刻ｔ２までの増加量Ｐ１１、時刻ｔ２から時刻ｔ３までの減少量Ｑ１１、時刻ｔ３から時刻ｔ４までの増加量Ｐ１２、時刻ｔ４から時刻ｔ５までの減少量Ｑ１２、時刻ｔ５から時刻ｔ６までの増加量Ｐ１３、時刻ｔ６から時刻ｔ７までの減少量Ｑ１３がそれぞれ所定量以上であるとする。
同様に、電子時計３０のソーラーパネル３８により得られた電流データにおいて、時刻ｔ１から時刻ｔ２までの増加量Ｐ２１、時刻ｔ２から時刻ｔ３までの減少量Ｑ２１、時刻ｔ３から時刻ｔ４までの増加量Ｐ２２、時刻ｔ４から時刻ｔ５までの減少量Ｑ２２、時刻ｔ５から時刻ｔ６までの増加量Ｐ２３、時刻ｔ６から時刻ｔ７までの減少量Ｑ２３がそれぞれ所定量以上であるとする。
この場合に、携帯電話機１０の受光センサ１８により得られた電流データ、電子時計３０のソーラーパネル３８により得られた電流データにおいて、所定時間ΔＴ１１内に所定量以上の増加が３回あり、所定時間ΔＴ１１内に所定量以上の減少が３回あると判断される。
【００５３】
一方、図７に示す両電流データは、区間ΔＴ１２において、時刻ｔ１１から時刻ｔ１２までは一定であり、時刻ｔ１２から時刻ｔ１３までは減少し、時刻ｔ１３から時刻ｔ１４までは一定であり、時刻ｔ１４から時刻ｔ１５までは増加し、時刻ｔ１５から時刻ｔ１６までは一定である。すなわち、区間ΔＴ１２において、両電流データの増減タイミング（電流波形パターン）は一致している。
しかし、区間ΔＴ１２の両電流データは、機器同士のペアリングを目的としたものではなく、室内照明が一旦消灯され、再び点灯された場合等に得られたものであると考えられる。両電流データにおいて、所定時間ΔＴ１２内の増加も減少も１回ずつであるから、所定時間ΔＴ１２内の増加又は減少が所定回数（例えば、３回）未満であることで、増減パターンの一致から除外する。
【００５４】
ステップＣ３で、受光センサ１８により得られた電流データ、及び、ソーラーパネル３８により得られた電流データのそれぞれにおいて、所定時間内に所定量以上の増加が所定回数以上あり、かつ、所定時間内に所定量以上の減少が所定回数以上ある場合には（ステップＣ３；ＹＥＳ）、ＣＰＵ１１は、受光センサ１８により得られた電流データの増減パターンと、ソーラーパネル３８により得られた電流データの増減パターンと、が一致すると判断する（ステップＣ４）。
【００５５】
ステップＣ１において、受光センサ１８により得られた電流データとソーラーパネル３８により得られた電流データとの増減タイミングが一致しない場合（ステップＣ１；ＮＯ）、ステップＣ２において、受光センサ１８により得られた電流データ、又は、ソーラーパネル３８により得られた電流データのいずれかに含まれる電流値の変化幅が所定値未満である場合（ステップＣ２；ＮＯ）、ステップＣ３において、受光センサ１８により得られた電流データ、又は、ソーラーパネル３８により得られた電流データのいずれかにおいて、所定時間内における所定量以上の増加が所定回数未満、又は、所定時間内における所定量以上の減少が所定回数未満である場合には（ステップＣ３；ＮＯ）、ＣＰＵ１１は、受光センサ１８により得られた電流データの増減パターンと、ソーラーパネル３８により得られた電流データの増減パターンと、が一致しないと判断する（ステップＣ５）。
【００５６】
ステップＣ４又はステップＣ５の後、電流データの増減パターン解析処理が終了する。
なお、ステップＣ１で増減タイミングの一致を判断する際に、比較対象となる両電流データにおいて、全範囲に亘って増減タイミングが一致する必要はなく、増減タイミングが一致する区間があればよい。そして、この増減タイミングが一致した区間を対象として、ステップＣ２、ステップＣ３の判断を行えばよい。
【００５７】
図４に戻り、電流データの増減パターン解析処理において、携帯電話機１０の電流データの増減パターンと電子時計３０の電流データの増減パターンとが一致すると判断された場合には（ステップＡ６；ＹＥＳ）、携帯電話機１０のＣＰＵ１１は、Bluetooth通信部２３を介して、電子時計３０に対し、ペアリングを指示する信号を送信する（ステップＡ７）。
電子時計３０において、Bluetooth通信部４０により、携帯電話機１０からペアリングを指示する信号が受信されると、ＣＰＵ３１は、Bluetooth通信部４０を介して、携帯電話機１０に対し、ペアリング指示に対する応答信号を送信する（ステップＢ６）。そして、ＣＰＵ３１は、電子時計３０の通信相手として、携帯電話機１０を設定する。例えば、ＣＰＵ３１は、Bluetooth通信を行う対象機器として、携帯電話機１０から取得した携帯電話機１０の識別情報を記憶部３４に記憶させる。
携帯電話機１０では、Bluetooth通信部２３により、電子時計３０からペアリング指示に対する応答信号が受信されると、ＣＰＵ１１は、携帯電話機１０の通信相手として、電子時計３０を設定する。例えば、ＣＰＵ１１は、Bluetooth通信を行う対象機器として、電子時計３０から取得した電子時計３０の識別情報を記憶部１４に記憶させる。
このようにして、携帯電話機１０と電子時計３０との間でペアリングが完了する。
【００５８】
一方、電流データの増減パターン解析処理において、携帯電話機１０の電流データの増減パターンと電子時計３０の電流データの増減パターンとが一致しないと判断された場合には（ステップＡ６；ＮＯ）、携帯電話機１０のＣＰＵ１１は、Bluetooth通信部２３を介して、電子時計３０に対し、ペアリング不可を指示する信号を送信する（ステップＡ８）。
電子時計３０において、Bluetooth通信部４０により、携帯電話機１０からペアリング不可を指示する信号が受信されると、ＣＰＵ３１は、Bluetooth通信部４０を介して、携帯電話機１０に対し、ペアリング不可指示に対する応答信号を送信する（ステップＢ６）。あるいは、電子時計３０において、Bluetooth通信部４０により、携帯電話機１０からペアリングを指示する信号もペアリング不可を指示する信号も受信されなかった場合に、ＣＰＵ３１が、携帯電話機１０とのペアリングはできないと判断してもよい。
【００５９】
次に、携帯電話機１０において、ＣＰＵ１１は、ペアリング状況を表示部１７に表示させる（ステップＡ９）。具体的には、ＣＰＵ１１は、電子時計３０との間でペアリングが完了した場合には、ペアリングが完了した旨を表示させ、電子時計３０との間でペアリングが失敗した場合には、ペアリングが失敗した旨を表示させる。
【００６０】
同様に、電子時計３０において、ＣＰＵ３１は、ペアリング状況を表示部３７に表示させる（ステップＢ７）。具体的には、ＣＰＵ３１は、携帯電話機１０との間でペアリングが完了した場合には、ペアリングが完了した旨を表示させ、携帯電話機１０との間でペアリングが失敗した場合には、ペアリングが失敗した旨を表示させる。
【００６１】
以上のように、携帯電話機１０の受光センサ１８により得られた電流データ（受光量の時系列データに相当）と、電子時計３０のソーラーパネル３８により得られた電流データ（受光量の時系列データに相当）と、に基づいて携帯電話機１０と電子時計３０との間でペアリングが行われる。
ペアリングが成立した後は、携帯電話機１０と電子時計３０との間において、Bluetooth通信による双方向通信が行われる。
【００６２】
図８は、携帯電話機１０において実行されるペアリング処理を示すフローチャートである。
まず、ＣＰＵ１１は、受光センサ１８を制御して、受光量を検出可能な受光スタンバイ状態とする（ステップＤ１）。
【００６３】
次に、ＣＰＵ１１は、受光センサ１８により検出された受光量に対応する電流値の時系列データ（電流データ）を取得し、受光センサ１８が遮蔽された状態（暗状態）が２秒間継続したか否かを判断する（ステップＤ２）。受光センサ１８が遮蔽された状態が２秒間継続した場合には（ステップＤ２；ＹＥＳ）、ＣＰＵ１１は、携帯電話機１０をペアリング待機状態にする（ステップＤ３）。
【００６４】
次に、ＣＰＵ１１は、ペアリング可能な他の電子機器の検出を試みる（ステップＤ４）。ペアリング可能な他の電子機器が検出されなかった場合には（ステップＤ４；ＮＯ）、ＣＰＵ１１は、ステップＤ４の処理について所定回数トライしたか否かを判断する（ステップＤ５）。
ステップＤ４の処理について所定回数トライ済みである場合には（ステップＤ５；ＹＥＳ）、ＣＰＵ１１は、ペアリングを中止する。
【００６５】
ステップＤ４の処理について所定回数トライ済みでない場合（ステップＤ５；ＮＯ）、又は、ステップＤ２において、受光センサ１８が遮蔽された状態が２秒間継続しなかった場合には（ステップＤ２；ＮＯ）、ステップＤ２に戻る。
【００６６】
ステップＤ４において、ペアリング可能な他の電子機器が検出された場合には（ステップＤ４；ＹＥＳ）、ＣＰＵ１１は、検出された電子機器（電子時計３０）との間で事前交信を開始する（ステップＤ６）。
【００６７】
ここで、ユーザは、携帯電話機１０の受光センサ１８と、ペアリングしたい電子時計３０のソーラーパネル３８と、に対して同一の受光環境下において光の強度を変化させる。具体的には、受光センサ１８とソーラーパネル３８の受光部分に対して、光を複数回遮るように、手のひらを往復させて動かす。
ＣＰＵ１１は、光の強度を変化させた際に受光センサ１８により検出された受光量に対応する電流値の時系列データ（電流データ）を記憶部１４に記憶させる（ステップＤ７）。
【００６８】
次に、携帯電話機１０において、ＣＰＵ１１は、光の強度を変化させた際に相手機器（電子時計３０）のソーラーパネル３８により検出された受光量に対応する電流値の時系列データ（電流データ）を、Bluetooth通信部２３を介して、相手機器から取得する（ステップＤ８）。
【００６９】
ＣＰＵ１１は、光の強度を変化させた際の携帯電話機１０の電流データの増減パターンと、電子時計３０の電流データの増減パターンと、を解析する（ステップＤ９）。電流データの増減パターン解析処理については、図５を用いて説明した通りである。
【００７０】
ＣＰＵ１１は、携帯電話機１０の電流データの増減パターンと電子時計３０の電流データの増減パターンとが一致しないと判断された場合には（ステップＤ１０；ＮＯ）、Bluetooth通信部２３を介して、電子時計３０に対し、ペアリング不可を指示する信号を送信する。そして、ＣＰＵ１１は、ペアリングが失敗したことを表示部１７に表示させる（ステップＤ１１）。
【００７１】
次に、ＣＰＵ１１は、ステップＤ１０の処理について所定回数トライしたか否かを判断する（ステップＤ１２）。
ステップＤ１０の処理について所定回数トライ済みである場合には（ステップＤ１２；ＹＥＳ）、ＣＰＵ１１は、ペアリングを中止する。
【００７２】
ステップＤ１０の処理について所定回数トライ済みでない場合には（ステップＤ１２；ＮＯ）、ステップＤ１に戻る。
【００７３】
ステップＤ１０において、携帯電話機１０の電流データの増減パターンと電子時計３０の電流データの増減パターンとが一致すると判断された場合には（ステップＤ１０；ＹＥＳ）、ＣＰＵ１１は、Bluetooth通信部２３を介して、電子時計３０に対し、ペアリングを指示する信号を送信する。そして、Bluetooth通信部２３により、電子時計３０からペアリング指示に対する応答信号が受信されると、ＣＰＵ１１は、携帯電話機１０の通信相手として、電子時計３０を設定する。ＣＰＵ１１は、ペアリングが完了したことを表示部１７に表示させる（ステップＤ１３）。
以上で、携帯電話機１０において実行されるペアリング処理が終了する。
【００７４】
以上説明したように、本実施の形態によれば、第１ステップにおいて、携帯電話機１０と電子時計３０とをペアリング待機状態にする。次いで、第２ステップにおいて、携帯電話機１０の受光センサ１８と電子時計３０のソーラーパネル３８とに対して同一の受光環境下において光の強度を変化させる。次いで、第３ステップにおいて、第２ステップ時に電子時計３０のソーラーパネル３８により検出された受光量の時系列データ（電流データ）を電子時計３０から携帯電話機１０に送信する。次いで、第４ステップにおいて、第２ステップ時に携帯電話機１０の受光センサ１８により検出された受光量の時系列データ（電流データ）と、電子時計３０から送信された受光量の時系列データ（電流データ）と、に基づいて携帯電話機１０と電子時計３０との間でペアリングを行う。
例えば、携帯電話機１０と電子時計３０とを隣接させた状態で、両機器の受光手段（受光センサ１８、ソーラーパネル３８）の上を手のひらが複数回往復して通過するように、手のひらを動かす等、簡単な操作で、通信相手となる二つの電子機器を相互に認識させることができる。したがって、電波が到達する範囲に複数の電子機器が存在する場合であっても、簡単な方法で特定の電子機器間のペアリングを行うことができる。
また、受光量の時系列データ（電流パターン）を解析することで電子機器間のペアリングを行うので、同一メーカーの同一製品（機器）同士、同一規格製品同士に限定されることなく、別メーカーの全く異なる製品同士でも、簡単にペアリングを行うことができる。
【００７５】
また、第４ステップでは、携帯電話機１０の電流データの増減パターンと電子時計３０の電流データの増減パターンとが一致するか否かを判断し、双方の増減パターンが一致すると判断された場合に、携帯電話機１０と電子時計３０との間でペアリングを行う。
携帯電話機１０の電流データの増減パターンと電子時計３０の電流データの増減パターンとが一致することで、両機器が同一の受光環境下にあると判断することができ、ペアリングする電子機器同士を容易に選別することができる。一方、意図しない電子機器同士のペアリングを避けることができる。
【００７６】
また、第４ステップでは、携帯電話機１０の電流データ又は電子時計３０の電流データに含まれる電流値（受光量）の変化幅が所定値未満である場合に、携帯電話機１０の電流データの増減パターンと電子時計３０の電流データの増減パターンとが一致しないと判断するので、意図しない電子機器同士のペアリングを避ける等、誤作動を防止することができる。
【００７７】
また、第４ステップでは、携帯電話機１０の電流データ又は電子時計３０の電流データにおいて、所定時間内における所定量以上の増加又は減少が所定回数未満である場合に、携帯電話機１０の電流データの増減パターンと電子時計３０の電流データの増減パターンとが一致しないと判断するので、意図しない電子機器同士のペアリングを避ける等、誤作動を防止することができる。
【００７８】
また、第１ステップでは、携帯電話機１０の受光センサ１８と電子時計３０のソーラーパネル３８とに対して所定の受光環境条件（２秒間の遮蔽状態）を与えることによって、携帯電話機１０と電子時計３０とをペアリング待機状態にするので、電子機器に対してボタン押下等の機械的な操作を行う必要がない。
【００７９】
なお、上記実施の形態における記述は、本発明に係るペアリング方法の例であり、これに限定されるものではない。各処理ステップに係る各機器の各部の細部構成及び細部動作に関しても本発明の趣旨を逸脱することのない範囲で適宜変更可能である。
【００８０】
例えば、上記実施の形態では、手のひらで受光手段を遮るように手のひらを動かすことで、受光手段が受光する光の強度を変化させる場合について説明したが、ＬＥＤ（Light Emitting Diode）ライト等の光源を受光手段に対して照射させる（受光量をより増加させる）ことで、光の強度を変化させることとしてもよい。また、部屋の室内灯のオン・オフの切り替えを所定時間内に所定回数繰り返すことで、光の強度を変化させることとしてもよい。
【００８１】
また、上記実施の形態では、第２ステップにおいて、両機器の受光手段の上で手のひらを複数回往復させる場合について説明したが、ペアリングモード開始時と同様に、両機器の受光手段に対して所定時間の遮蔽状態を継続した場合等に、ペアリングを行うこととしてもよい。
また、両機器の受光手段に対して、手のひらを近づけたり遠ざけたりすることで、光の強度を変化させることとしてもよい。また、手のひらに限らず、道具を用いて光源からの光を遮ることとしてもよい。
【００８２】
また、上記実施の形態において、ステップＣ３では、増加量・減少量が所定量以上である場合に有意な増加・減少であるものとして扱ったが、両機器から得られた受光量の時系列データ（電流データ等）を比較する際に、それぞれの受光量の範囲に応じて予め定められた第１の閾値以上の状態と第２の閾値（第２の閾値＜第１の閾値）以下の状態とを繰り返すタイミングの一致に基づいて、受光量の時系列データの増減パターンの一致を判断してもよい。また、光源からの光が遮られたと判断するための閾値を設け、受光量がこの閾値以下になったタイミングの一致に基づいて、受光量の時系列データの増減パターンの一致を判断してもよい。
【００８３】
また、上記実施の形態では、受光量の時系列データとして、受光量に対応する電流値の時系列データ（電流データ）を用いた場合を例にして説明したが、受光量に相当する値であれば、何を用いてもよい。
【００８４】
また、上記実施の形態では、手のひらで受光手段を２秒間遮蔽することを契機として、ペアリング待機状態とする場合について説明したが、ユーザが携帯電話機１０、電子時計３０に設けられたボタンを押下する等の操作によって、ペアリング待機状態とすることとしてもよい。
【００８５】
また、上記実施の形態では、受光手段として受光センサ１８やソーラーパネル３８を用いる場合について説明したが、これらの例に限定されない。例えば、携帯電話機１０がカメラを備える場合には、カメラの受光素子を利用してもよいし、携帯電話機１０がソーラーパネルを備える場合には、ソーラーパネルを利用してもよい。
【００８６】
また、電子機器間でペアリングが成立した状態において、受光手段に対する光源の遮蔽動作を、相手機器に対する操作に応用することも可能である。例えば、携帯電話機１０と電子時計３０とのペアリングが成立した後に、電子時計３０のソーラーパネル３８に対して光源からの光を所定回数遮る等、光の強度を変化させた場合に、携帯電話機１０における電話着信の接続又は切断を行うこととしてもよい。
【００８７】
また、電子機器間の通信方式として、Bluetoothを例に挙げて説明したが、これに限定されない。例えば、赤外線通信やＵＷＢ（Ultra Wide Band）等であってもよい。
【００８８】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
データ通信を行う通信手段、及び、受光量を検出する受光手段をそれぞれ備える第１の電子機器と第２の電子機器との間のペアリングを行うペアリング方法であって、
前記第１の電子機器と前記第２の電子機器とをペアリング待機状態にする第１ステップと、
前記第１の電子機器の受光手段と前記第２の電子機器の受光手段とに対して同一の受光環境下において光の強度を変化させる第２ステップと、
前記第２ステップ時に前記第２の電子機器の受光手段により検出された受光量の時系列データを前記第２の電子機器から前記第１の電子機器に送信する第３ステップと、
前記第２ステップ時に前記第１の電子機器の受光手段により検出された受光量の時系列データと、前記第２の電子機器から送信された受光量の時系列データと、に基づいて前記第１の電子機器と前記第２の電子機器との間でペアリングを行う第４ステップと、
を含むことを特徴とするペアリング方法。
＜請求項２＞
前記第４ステップでは、
前記第１の電子機器の前記時系列データの増減パターンと前記第２の電子機器の前記時系列データの増減パターンとが一致するか否かを判断し、双方の増減パターンが一致すると判断された場合に、前記第１の電子機器と前記第２の電子機器との間でペアリングを行うことを特徴とする請求項１に記載のペアリング方法。
＜請求項３＞
前記第４ステップでは、
前記第１の電子機器の前記時系列データ又は前記第２の電子機器の前記時系列データに含まれる受光量の変化幅が所定値未満である場合に、前記第１の電子機器の前記時系列データの増減パターンと前記第２の電子機器の前記時系列データの増減パターンとが一致しないと判断することを特徴とする請求項２に記載のペアリング方法。
＜請求項４＞
前記第４ステップでは、
前記第１の電子機器の前記時系列データ又は前記第２の電子機器の前記時系列データにおいて、所定時間内における所定量以上の増加又は減少が所定回数未満である場合に、前記第１の電子機器の前記時系列データの増減パターンと前記第２の電子機器の前記時系列データの増減パターンとが一致しないと判断することを特徴とする請求項２又は３に記載のペアリング方法。
＜請求項５＞
前記第１ステップでは、
前記第１の電子機器の受光手段と前記第２の電子機器の受光手段とに対して所定の受光環境条件が与えられた場合に、前記第１の電子機器と前記第２の電子機器とをペアリング待機状態にすることを特徴とする請求項１から４のいずれか一項に記載のペアリング方法。
＜請求項６＞
データ通信を行う通信手段と、
受光量を検出する受光手段と、
他の電子機器において検出された受光量の時系列データを前記他の電子機器から取得する取得手段と、
前記受光手段により検出された受光量の時系列データと、前記取得手段により取得された受光量の時系列データと、に基づいて前記他の電子機器との間でペアリングを行うペアリング手段と、
を備えることを特徴とする電子機器。
【符号の説明】
【００８９】
１０  携帯電話機
１１  ＣＰＵ
１２  ＲＯＭ
１４  記憶部
１７  表示部
１８  受光センサ
２３  Bluetooth通信部
３０  電子時計
３１  ＣＰＵ
３２  ＲＯＭ
３４  記憶部
３７  表示部
３８  ソーラーパネル
４０  Bluetooth通信部
１００  無線通信システム
【図１】
2014187487.tif 000003
【図２】
2014187487.tif 000004
【図３】
2014187487.tif 000005
【図４】
2014187487.tif 000006
【図５】
2014187487.tif 000007
【図６】
2014187487.tif 000008
【図７】
2014187487.tif 000009
【図８】
2014187487.tif 000010